(57)【要約】【課題】異常と判定された用紙があった場合に、印刷効率の低下や用紙の無駄を抑制することが可能な画像形成装置を提供する。【解決手段】本発明の一態様の画像形成部は、用紙に画像を形成する。画像検査部は、画像形成部によって画像が形成された用紙が搬送され、用紙に形成された画像の検査を行う。正常用排紙部は、画像検査部による検査で正常と判定された用紙を排出し、異常用排紙部は、画像検査部による検査で異常と判定された用紙を排出する。制御部は、画像検査部による検査で異常と判定された場合に、異常と判定された用紙と同じページの画像の形成を画像形成部に実行させる。また、制御部は、異常用排紙部に排出された用紙を利用することが操作部により入力された場合に、利用する用紙と同じページの画像の形成を中止させる。【選択図】図２
2020104384.tif 000002
【特許請求の範囲】
【請求項１】
用紙に画像を形成する画像形成部と、
前記画像形成部によって画像が形成された用紙が搬送され、前記用紙に形成された画像の検査を行う画像検査部と、
前記画像検査部による検査で正常と判定された用紙を排出する正常用排紙部と、
前記画像検査部による検査で異常と判定された用紙を排出する異常用排紙部と、
前記異常用排紙部に排出された用紙を利用するという入力を受け付ける操作部と、
前記画像検査部による検査で異常と判定された場合に、前記異常と判定された用紙と同じページの画像の形成を画像形成部に実行させ、前記異常用排紙部に排出された用紙を利用することが前記操作部により入力された場合に、別の部数における利用する用紙と同じページの画像の形成を中止させる制御部と、を備える
画像形成システム。
【請求項２】
前記別の部数における利用する用紙と同じページの画像の形成を中止した場合に、前記利用する用紙を前記正常用排紙部に排出されている用紙の上に置くように通知する通知部を備える
請求項１に記載の画像形成システム。
【請求項３】
前記利用する用紙を挿入する用紙挿入部を備え、
前記制御部は、前記用紙挿入部に前記利用する用紙がセットされた場合に、前記別の部数における利用する用紙と同じページの画像の形成を中止させる
請求項１に記載の画像形成システム。
【請求項４】
前記用紙挿入部は、前記画像検査部の前段に設けられており、
前記画像検査部は、前記用紙挿入部から挿入された用紙が、前記利用する用紙と一致しない場合は、前記用紙挿入部から挿入された用紙を異常と判定する
請求項３に記載の画像形成システム。
【請求項５】
前記利用する用紙が複数枚ある場合は、前記用紙挿入部の前にセットする複数枚の前記利用する用紙の順番を並び替えることを通知する通知部を備える
請求項３又は４に記載の画像形成システム。
【請求項６】
前記通知部は、前記画像検査部による検査で異常と判定された用紙のページ番号、及び部数を通知する
請求項２又は５に記載の画像形成システム。
【請求項７】
前記操作部は、前記利用する用紙のページ番号を入力可能に構成されている
請求項１〜６のいずれか１項に記載の画像形成システム。
【請求項８】
前記異常用排紙部に排出された用紙を利用することが前記操作部により入力されると、前記画像検査部は、前記異常用排紙部に排出された用紙と同じ異常を検出しても異常と判定しないようにする
請求項１〜７のいずれか１項に記載の画像形成システム。
【請求項９】
前記画像検査部による検査で異常と判定された用紙が最終部である場合に、前記異常と判定された画像の形成を再び前記画像形成部に実行させるか否かを設定可能である
請求項１〜８のいずれか１項に記載の画像形成システム。
【請求項１０】
前記画像検査部による検査で異常と判定された用紙をページ番号毎にカウントし、前記カウントの最大値を最終部の値から減算した値の部数における前記カウントが最大値のページ番号に対応する画像の形成が開始される前までに、前記異常用排紙部に排出された用紙を利用するか否かの指示が前記操作部により入力されなかった場合に、前記制御部は、前記画像形成部による画像の形成を中止させる
請求項１〜９のいずれか１項に記載の画像形成システム。
【発明の詳細な説明】
【技術分野】
【０００１】
本発明は、画像形成システムに関する。
【背景技術】
【０００２】
画像形成装置で用紙に画像を形成する際には、プロセス要因や用紙の不良などの様々な要因で、不良が発生することがある。生成物（印刷物）に不良品があることは好ましくないため、画像形成装置に画像検査装置を接続して、不良の有無を検査することがある。
【０００３】
画像検査装置は、例えば、画像形成装置で画像が形成された用紙の搬送経路の途中に配置されて、搬送された用紙に形成された画像をセンサで読み取る。そして、画像検査装置は、センサで読み取った画像データと元の画像データとを比較して、良否を判断する処理を行う。良否を判断する処理において、不良有りと判断された用紙は、良品が出力される排紙トレイとは別の排紙トレイに出力される。
【０００４】
特許文献１には、記録シートに形成された画像異常を検出する画像形成装置が記載されている。この特許文献１に記載された画像形成装置では、異常検出部により画像異常が検出されると、印刷ジョブを一時的に中断して、ユーザーの指示入力に基づいて印刷ジョブを続行するか否かを決定する。
【先行技術文献】
【特許文献】
【０００５】
【特許文献１】特開２００６−１９２８８４号公報
【発明の概要】
【発明が解決しようとする課題】
【０００６】
しかしながら、特許文献１に記載された画像形成装置では、画像異常を検出する度に、ユーザーが排紙トレイまで移動して、印刷ジョブを続行するか否かの指示を入力するまで、印刷ジョブ（画像形成）を中断することになる。そのため、画像異常が検出されると、印刷ジョブが完了するまでに要する時間が長くなる場合が発生し、印刷効率が低下してしまう。また、生産性を落とさないために、ユーザーの指示入力を待つことなく再印刷（リカバリー印刷）するものもある。しかし、この場合は、別の排紙トレイに出力された用紙をユーザーが見て不良でないと判断しても、その用紙が無駄になってしまう。
【０００７】
本発明は、上記の状況を考慮してなされたものであり、異常と判定された用紙があった場合に、印刷効率の低下や用紙の無駄を抑制することが可能な画像形成装置を提供することを目的とする。
【課題を解決するための手段】
【０００８】
本発明の一態様の画像形成システムは、画像形成部と、画像検査部と、正常用排紙部と、異常用排紙部と、操作部と、制御部とを備える。画像形成部は、用紙に画像を形成する。画像検査部は、画像形成部によって画像が形成された用紙が搬送され、用紙に形成された画像の検査を行う。正常用排紙部は、画像検査部による検査で正常と判定された用紙を排出し、異常用排紙部は、画像検査部による検査で異常と判定された用紙を排出する。操作部は、異常用排紙部に排出された用紙を利用するという入力を受け付ける。制御部は、画像検査部による検査で異常と判定された場合に、異常と判定された用紙と同じページの画像の形成を画像形成部に実行させる。また、制御部は、異常用排紙部に排出された用紙を利用することが操作部により入力された場合に、利用する用紙と同じページの画像の形成を中止させる。
【発明の効果】
【０００９】
本発明の一態様によれば、異常と判定された用紙があった場合に、印刷効率の低下や用紙の無駄を抑制することができる。
上記した以外の課題、構成及び効果は、以下の実施形態の説明により明らかにされる。
【図面の簡単な説明】
【００１０】
【図１】本発明の第１の実施形態に係る画像形成システムの構成例を示す概略構成図である。
【図２】本発明の第１の実施形態に係る画像形成処理の流れを示すフローチャートである。
【図３】本発明の第１の実施形態に係るユーザー判定の判定結果を入力する際に表示する入力画面の第１の例を示す図である。
【図４】本発明の第１の実施形態に係るユーザー判定の第１の例を示すフローチャートである。
【図５】本発明の第１の実施形態に係るユーザー判定の判定結果を入力する際に表示する入力画面の第１の例を示す図である。
【図６】本発明の第１の実施形態に係るユーザー判定の第２の例を示すフローチャートである。
【図７】本発明の第１の実施形態におけるユーザーの判定可能時間を説明する図である。
【図８】本発明の第２の実施形態に係る画像形成システムの構成例を示す概略構成図である。
【図９】本発明の第２の実施形態に係る画像形成処理の流れを示すフローチャートである。
【図１０】本発明の第２の実施形態に係るユーザー判定の例を示すフローチャートである。
【図１１】本発明の第２の実施形態における利用可能であると判定した複数枚の用紙の順番を並び替えることを通知する画面を示す図である。
【図１２】本発明の第３の実施形態に係る画像形成処理の流れを示すフローチャート（その１）である。
【図１３】本発明の第３の実施形態に係る画像形成処理の流れを示すフローチャート（その２）である。
【図１４】本発明の第４の実施形態に係るユーザー判定の第１の例の判定結果を入力する入力画面を示す図である。
【図１５】本発明の第４の実施形態に係るユーザー判定の第２の例の判定結果を入力する入力画面を示す図である。
【発明を実施するための形態】
【００１１】
以下、本発明を実施するための形態（以下、「実施形態」と記述する。）の例について、添付図面を参照しながら説明する。本明細書及び添付図面において実質的に同一の機能又は構成を有する構成要素については、同一の符号を付して重複する説明を省略する。
【００１２】
１．第１の実施形態
［画像形成システムの構成］
図１は、本発明の第１の実施形態に係る画像形成システムの構成例を示す概略構成図である。
【００１３】
図１に示すように、第１の実施形態に係る画像形成システム１は、画像形成装置２と、画像検査装置３を備える。画像形成装置２は、静電気を用いて画像の形成を行う電子写真方式によって用紙に画像を形成する画像形成装置の一例である。
【００１４】
画像形成装置２は、例えば、イエロー（Ｙ）、マゼンタ（Ｍ）、シアン（Ｃ）及びブラック（Ｋ）の４色のトナー像を重ね合わせるタンデム形式によって、用紙上にカラー画像を形成する。画像形成装置２には、不図示のＬＡＮ（Local Area Network）を介して、ユーザーによって操作されるＰＣ（Personal Computer）等が接続されている。そして、ＰＣからＬＡＮを介して画像形成装置２にジョブが投入される。画像形成装置２は、投入されたジョブに従って、画像形成処理等の各種の処理を行う。
【００１５】
画像検査装置３は、画像形成装置２から搬送された用紙に形成（印刷）された画像の正常又は異常を検査する。画像検査装置３に搬送される用紙は、両面又は片面に画像が形成された印刷物である。画像検査装置３は、画像形成装置２が用紙の両面又は片面に形成した画像を読取り、所定の検査を行う。
【００１６】
画像形成装置２は、制御部１０と、画像入力部１１と、記憶部１２と、操作部１３と、表示部１４と、画像形成部１５と、定着部１６と、搬送部１７を備える。
【００１７】
画像入力部１１は、ＡＤＦ（Auto Document Feeder）を有しており、例えば、不図示の原稿台上に載置された原稿から画像を光学的に読み取る。そして、画像入力部１１は、読み取った画像をＡ／Ｄ変換して画像データ（スキャンデータ）を生成する。
【００１８】
制御部１０は、ＣＰＵ（Central Processing Unit）１０１と、ＲＯＭ（Read Only Memory）１０２及びＲＡＭ（Random Access Memory）１０３と、入力画像処理部１０４を有する。
【００１９】
ＲＯＭ１０２には、ＣＰＵ１０１が実行するプログラム又はプログラムの実行時に使用するデータ等が保存されている。ＣＰＵ１０１は、ＲＯＭ１０２に保存されたプログラムを読み出すことにより、画像形成装置２を構成する各部の制御を行う。ＲＡＭ１０３には、ＣＰＵ１０１の演算処理の途中に発生した変数やパラメーターなどが一時的に書き込まれる。
【００２０】
入力画像処理部１０４は、例えば、ＰＣから入力したジョブに含まれる入力画像に所定の画像処理を施し、印刷用画像データを作成する。また、入力画像処理部１０４は、画像入力部１１で読み取った原稿から取得した画像データ、又は、外部から取得した画像データについても画像処理を施し、印刷用画像データを作成する。この印刷用画像データは、画像形成部１５に送られる。
【００２１】
記憶部１２には、制御部１０のＣＰＵ１０１がプログラムを実行する際に使用するパラメーターや、プログラムを実行して得られたデータなどが保存される。例えば、記憶部１２には、各濃度レベルの画像形成条件等の情報が保存される。なお、記憶部１２に、ＣＰＵ１０１が実行するプログラムを記憶させてもよい。
【００２２】
操作部１３は、ユーザーによる各種入力操作を受け付けて、操作信号を制御部１０に出力する。ユーザーは、操作部１３を操作して、原稿設定、画質設定、倍率設定、応用設定、出力設定、片面／両面設定、及び用紙設定（用紙の坪量、光沢の有無を含む）などの画像形成（印刷）に関する設定や指示を行うことができる。また、操作部１３を用いて設定された情報は、例えば、記憶部１２に記憶される。
【００２３】
本実施形態では、画像検査装置３により異常と判定された用紙をユーザーが確認して、使用する（利用する）か否かを判断する。そして、ユーザーは、異常と判定されたが利用可能と判定した用紙のページ番号を操作部１３により入力する。
【００２４】
一方、ＲＡＭ１０３には、ページ番号毎に利用可能ページカウンターが設けられている。ユーザーが利用可能と判定したページ番号を操作部１３により入力すると、制御部１０（ＣＰＵ１０１）は、ＲＡＭ１０３の該当する利用可能ページカウンターに「１」を加算する。これにより、制御部１０は、利用可能と判定されたページのページ番号と枚数を把握することができる。
【００２５】
また、ＲＡＭ１０３には、ページ番号毎に異常判定カウンターが設けられている。画像検査装置３により異常と判定された用紙がある場合に、その用紙のページ番号に対応する異常判定カウンターに「１」を加算する。これにより、制御部１０は、異常と判定されたページのページ番号と枚数を把握することができる。
【００２６】
表示部１４は、本発明に係る通知部の一具体例を示す。表示部１４は、液晶パネル等からなり、制御部１０から供給される表示信号に基づいて、ユーザーによる操作内容や設定情報、画像検査装置３による検査で異常と判定された用紙に係る情報（例えば、ページ数や部数（何部目））等を表示する。
【００２７】
なお、本発明に係る表示部と操作部は、一体に構成してもよい。すなわち、液晶パネル等からなる表示部と、タッチセンサ等からなる操作部により操作表示部を構成してもよい。
【００２８】
搬送部１７は、制御部１０による制御に基づいて、搬送路上に設けられた搬送ローラ（図示略）を駆動して、用紙を搬送する。
【００２９】
画像形成部１５は、ＣＭＹＫの各色のトナー像を形成する現像部と、ローラーによって回転され、現像部で形成されたトナー像を用紙に転写するための中間転写体として機能する中間ベルトを有している。また、画像形成部１５は、中間ベルト上に形成されたトナー像（画像）を用紙に転写する２次転写ローラーを有している。
【００３０】
定着部１６は、画像形成部１５の用紙搬送方向の下流側に配置されており、画像形成部１５から供給されるトナー像（画像）が形成された用紙に対して、定着処理を施す。定着部１６は、搬送された用紙を加熱及び加圧することにより、用紙に転写された画像を定着する。定着部１６により画像が定着した用紙は、搬送部１７によって画像検査装置３に搬送される。
【００３１】
制御部１０は、搬送部１７を制御して、用紙を画像形成部１５、定着部１６、画像検査装置３等へ搬送させる。また、制御部１０は、入力画像処理部が作成した印刷用画像データを画像形成部１５に出力する。また、制御部１０は、画像形成部１５を制御して、用紙に画像を形成させる。また、制御部１０は、定着部１６を制御して、画像を用紙に定着させる。
【００３２】
画像検査装置３は、検査部２０と、読取部２１と、記憶部２２と、正常用排紙トレイ２３と、異常用排紙トレイ２４とを備える。正常用排紙トレイ２３は、本発明に係る正常用排紙部の一具体例を示し、異常用排紙トレイ２４は、本発明に係る異常用排紙部の一具体例を示す。
【００３３】
読取部２１は、画像形成装置２から搬送された用紙の上面及び下面に形成された画像を読取る。読取部２１が読取った画像は、読取画像として、検査部２０のＲＡＭ２０３に保存される。なお、読取画像は、記憶部２２に保存されてもよい。
【００３４】
検査部２０は、本発明に係る画像検査部の一具体例を示すものであり、ＣＰＵ２０１、ＲＯＭ２０２、ＲＡＭ２０３、読取画像解析部２０４、ファイル生成部２０５及び排紙先選択部２０６を備える。ＣＰＵ２０１は、ＲＯＭ２０２に保存されたプログラムを読み出すことにより、画像検査装置３を構成する各部の制御を行う。ＲＯＭ２０２には、検査部２０のＣＰＵ２０１が実行するプログラム又はプログラムの実行時に使用するデータ等が保存される。
【００３５】
ＲＡＭ２０３には、ＣＰＵ２０１の演算処理の途中に発生した変数やパラメーターなどが一時的に書き込まれる。上述したようにＲＡＭ２０３には、読取画像が保存される他、予め読取部２１が基準となる画像を読取って得た基準画像も保存される。また、ＲＡＭ２０３には、読取画像解析部２０４の解析結果が保存される。
【００３６】
ＣＰＵ２０１がＲＯＭ２０２から読み出したプログラムを実行することで、読取画像解析部２０４、ファイル生成部２０５及び排紙先選択部２０６の各機能が実現される。読取画像解析部２０４は、ＲＡＭ２０３から読み出した読取画像と、ＲＡＭ２０３に予め保存されている基準画像とをページ毎に比較する。読取画像解析部２０４は、読取画像と基準画像に差異がなければ、読取画像を正常と判定する。
【００３７】
また、読取画像解析部２０４は、読取画像を解析して、読取画像の正常又は異常を検出する。例えば、あるページに印刷された画像に汚れ等が付着していた場合、このページの読取画像は、基準画像に対して差異が生じる。このため、読取画像解析部２０４は、読取画像と基準画像とを比較して差異があれば、読取画像を異常と判定する。
【００３８】
また、用紙自体に異常（例えば、破れ、折れ、汚れ等）があった場合においても、読取画像解析部２０４は、読取画像と基準画像とを比較して差異があれば、読取画像を異常と判定する。そして、読取画像解析部２０４は、このページの読取画像に差異が生じて異常と判定したことを解析結果としてＲＡＭ２０３に記録する。
【００３９】
解析結果は、例えば、読取画像が異常と判定された要因である、汚れの位置、大きさ、異常が生じたページ番号等を含む情報である。また、読取画像が正常と判定された場合には、正常と判定されたページ番号等を含む情報も解析結果として記録される。また、読取画像解析部２０４は、異常と判定した読取画像に対応するページの再印刷処理（「リカバリ処理」と呼ぶ）を、不図示の通信Ｉ／Ｆ部を通じて画像形成装置２に指示する。リカバリ処理を指示された画像形成装置２は、読取画像解析部２０４によって異常が検出された読取画像に対応する画像を再び形成する。
【００４０】
ファイル生成部２０５は、読取画像解析部２０４の解析結果に基づき、異常が検出されなかった読取画像を含む正常画像ファイルと、異常が検出された読取画像を含む異常画像ファイルとを生成する。そして、ファイル生成部２０５は、正常画像ファイル又は異常画像ファイルのいずれか一方、又は正常画像ファイル又は異常画像ファイルの両方を含む解析結果ファイルを生成する。
【００４１】
排紙先選択部２０６は、読取画像解析部２０４の解析結果に従って、解析後の用紙の排紙トレイ（排紙先の一例）を選択する。例えば、読取画像解析部２０４の解析結果が、用紙に形成された画像が正常であることを示していれば、この用紙は正常用紙である。このため、排紙先選択部２０６は、正常用紙を正常用排紙トレイ２３に排紙させる。
【００４２】
一方、読取画像解析部２０４の解析結果が、用紙に形成された画像が異常であることを示していれば、この用紙は異常用紙である。このため、排紙先選択部２０６は、異常用紙を異常用排紙トレイ２４に排紙させる。なお、異常用排紙トレイ２４は、パージトレイと呼ばれることもある。
【００４３】
記憶部２２は、大容量のＨＤＤ等で構成される。このため、記憶部２２は、ファイル生成部２０５により生成された正常画像ファイル及び異常画像ファイルを記憶する。正常画像ファイル及び異常画像ファイルは一つの解析結果ファイルにもまとめられる。そして、検査部２０は、必要に応じて記憶部２２から解析結果ファイルを読み出し、読取画像解析部２０４の解析に用いる。また、検査部２０は、必要に応じて解析結果ファイルを画像形成装置２に送信する。
【００４４】
ここで、正常画像ファイル及び異常画像ファイルの用途について説明する。
（１）正常画像ファイルの用途
正常画像ファイルは、正常用紙が作成されたことを表すエビデンスとして用いられる。例えば、正常用排紙トレイ２３から正常用紙が取出された後に、一部の正常用紙が欠落したり、汚れたりしても、ユーザーが正常画像ファイルの内容を確認することで、正常用紙が正しいページ数で作成されたことを確認できる。
【００４５】
（２）異常画像ファイルの用途
異常画像ファイルは、読取画像解析部２０４によって異常と判定された画像が、どの部数（何部目）の、どのページの、どの箇所に発生したのかを、ユーザーに示すために用いられる。また、異常画像ファイルから得られる情報（どの部数（何部目）の、どのページ）は、不図示の通信Ｉ／Ｆ部を通じて画像形成装置２に送る。
【００４６】
また、本実施形態では、異常用排紙トレイ２４に排紙された異常用紙をユーザーが利用（使用）可能であると判断し、その異常用紙を利用することが操作部１３により入力される場合がある。つまり、検査部２０で異常と判断されても、ユーザーが問題無く使用できる程度の異常であると判定した場合は、その異常用紙を利用する。この場合、検査部２０は、利用すると判定された異常用紙に対応する読取画像を異常画像ファイルから取り出して、利用可能用画像としてＲＡＭ２０３に保存する。
【００４７】
読取画像解析部２０４は、利用すると判断された異常用紙と同じページの用紙の読取画像を異常と判定した場合に、その用紙の読取画像と上述の利用可能用画像を比較する。そして、読取画像解析部２０４は、読取画像と利用可能用画像に差異がなければ、異常と判定した読取画像を、正常と判定することにする。これにより、一度、ユーザーが利用可能であると判定した異常を、次の検査から異常と判定しないようにすることができる。
【００４８】
［画像形成処理］
次に、本実施形態に係る画像形成システム１による画像形成処理の流れについて、図２を参照して説明する。
図２は、画像形成システム１による画像形成処理の流れを示すフローチャートである。
【００４９】
まず、画像形成処理が開始されると、画像形成装置２の制御部１０は、画像を形成（印刷）するページは、ユーザーが利用可能と判定した用紙と同じページであるか否かを判別する（Ｓ１）。利用可能と判定した用紙と同じページであるか否かは、ＲＡＭ１０３の利用可能ページカウンターを参照して判別される。すなわち、該当する利用可能ページカウンターの値が「１」以上であれば、ユーザーが利用可能と判定した用紙と同じページであると判別し、該当する利用可能ページカウンターの値が「０」であれば、ユーザーが利用可能と判定した用紙と同じページでないと判別する。
【００５０】
Ｓ１において、ユーザーが利用可能と判定した用紙と同じページでないと判別したとき（Ｓ１がＮＯ判定の場合）、制御部１０は、そのページの印刷（画像の形成）を実行させる（Ｓ２）。次に、画像検査装置３の検査部２０は、異常検出処理を行う（Ｓ３）。この処理では、画像形成装置２から搬送された用紙に形成（印刷）された画像が正常であるか異常であるかを判定する。
【００５１】
次いで、検査部２０は、Ｓ３の異常検出処理において異常が検出されたか否かを判別する（Ｓ４）。Ｓ４において、異常が検出されたと判別したとき（Ｓ４がＹＥＳ判定の場合）、検査部２０は、異常が検出された（異常と判定された）用紙を異常用排紙トレイ２４に排紙させる（Ｓ５）。
【００５２】
Ｓ５の処理後、制御部１０は、Ｓ２の処理を行う。すなわち、制御部１０は、画像検査装置３から指示されたリカバリ処理に応じて、異常が検出された（異常と判定された）画像の形成（印刷）を再び実行する。
【００５３】
また、Ｓ５の処理後、制御部１０は、ユーザーの判定結果を受け付けるための入力画面の第１の例（図３参照）又は第２の例（図５参照）を表示部１４に表示する。ユーザーは、表示部１４に表示された入力画面を確認し、後述のユーザー判定の第１の例又は第２の例を行って、操作部１３により判定結果を入力する。さらに、Ｓ５の処理後、制御部１０は、今回の画像の形成を指示する印刷ジョブを送信したＰＣ（不図示）に、異常検出情報を送信してもよい。異常検出情報には、例えば、異常と判定されたページのページ番号、及び部数（何部目）が含まれる。
【００５４】
Ｓ４において、異常が検出されていないと判別したとき（Ｓ４がＮＯ判定の場合）、検査部２０は、異常が検出されていない（正常と判定された）用紙を正常用排紙トレイ２３に排紙させる（Ｓ６）。
【００５５】
一方、Ｓ１において、ユーザーが利用可能と判定した用紙と同じページであると判別したとき（Ｓ１がＹＥＳ判定の場合）、制御部１０は、正常用排紙トレイ２３に利用可能と判定した用紙を置くように、表示部１４を用いて通知する（Ｓ７）。このとき、制御部１０は、ユーザーが利用可能と判定した用紙と同じページの印刷（画像の形成）を実行しない（中止する）。すなわち、Ｓ２の処理を行わない。
【００５６】
次いで、制御部１０は、ユーザーが正常用排紙トレイ２３に利用可能と判定した用紙を置かれたことを確認する（Ｓ８）。ユーザーは、利用可能と判定した用紙を正常用排紙トレイ２３に置いてから、操作部１３を用いて利用可能と判定した用紙を置いたことを示す入力を行う。これにより、制御部１０は、ユーザーが正常用排紙トレイ２３に利用可能と判定した用紙を置かれたことを確認することができる。
【００５７】
このように、ユーザーが正常用排紙トレイ２３に利用可能と判定した用紙を置くことにより、正常用排紙トレイ２３上に排紙された正常用紙に、利用可能と判定した用紙を挿入することができる。その結果、画像検査装置３により異常と判定されたが、ユーザーが確認すると問題なしと判断した用紙を無駄にしないようにすることができる。
【００５８】
Ｓ６又はＳ８の処理後、制御部１０は、今回の部数（例えば、２部目）における全てのページの画像の形成（印刷）を終了したか否かを判別する（Ｓ９）。Ｓ９において、全てのページの画像の形成（印刷）を終了していないと判別したとき（Ｓ９がＮＯ判定の場合）、制御部１０は、次のページの画像の形成を準備する（Ｓ１０）。Ｓ１０の処理後、制御部１０は、Ｓ１の処理を行う。
【００５９】
Ｓ９において、全てのページの画像の形成（印刷）を終了したと判別したとき（Ｓ９がＹＥＳ判定の場合）、制御部１０は、全ての部数（最終部）の画像の形成（印刷）を終了したか否かを判別する（Ｓ１１）。Ｓ１１において、全ての部数（最終部）の画像の形成（印刷）を終了していないと判別したとき（Ｓ１１がＮＯ判定の場合）、制御部１０は、次の部数の１ページ目の画像の形成を準備する（Ｓ１２）。
【００６０】
Ｓ１２の処理後、制御部１０は、Ｓ１の処理を行う。一方、Ｓ１１において、全ての部数（最終部）の画像の形成（印刷）を終了したと判別したとき（Ｓ１１がＮＯ判定の場合）、制御部１０は、画像形成処理を終了する。
【００６１】
［ユーザー判定の第１の例］
次に、本実施形態に係るユーザー判定の第１の例について、図３及び図４を参照して説明する。
図３は、ユーザー判定の判定結果を入力する際に表示する入力画面の第１の例を示す図である。図４は、ユーザー判定の第１の例を示すフローチャートである。
【００６２】
画像検査装置３により異常と判定された用紙が異常用排紙トレイ２４に排紙された場合は、その用紙における画像の異常が、許容できるレベルの異常であるか否かをユーザーが判定する。このとき、制御部１０は、ユーザーの判定結果を入力するための入力画面を表示部１４に表示させる。ユーザーは、その入力画面の表示に応じて、必要な指示を操作部１３により入力する。
【００６３】
図３に示すように、入力画面の第１の例では、異常用排紙トレイ２４に排紙された用紙を利用すると判定した場合に、その用紙のページ番号を入力する欄を表示する。また、入力画面の第１の例では、「キャンセル」と、「ＯＫ」を表示する。
【００６４】
利用可能と判定した用紙のページ番号を入力後、「ＯＫ」の表示を選択すると、異常と判定されたが利用する用紙のページ番号が決定される。これにより、制御部１０は、ＲＡＭ１０３の該当する利用可能ページカウンターに「１」を加算する。また、「キャンセル」の表示を選択すると、異常と判定された用紙を利用しないことが決定される。
【００６５】
図４に示すように、ユーザー判定を行う場合に、ユーザーは、異常用排紙トレイ２４に排紙された用紙を確認する（Ｓ２１）。次いで、ユーザーは、異常用排紙トレイ２４に排紙された用紙が利用可能であるか否かを判別する（Ｓ２２）。すなわち、異常用排紙トレイ２４に排紙された用紙が、正常用排紙トレイ２３に排紙された用紙と一緒に使用できるか否かを判別する。
【００６６】
Ｓ２２において、異常用排紙トレイ２４に排紙された用紙が利用可能であると判別したとき（Ｓ２２がＹＥＳ判定の場合）、ユーザーは、用紙のページ番号を入力する欄に、利用可能と判定した用紙のページ番号を入力して、「ＯＫ」を選択する（Ｓ２３）。これにより、利用する用紙のページ番号が決定される。Ｓ２３の処理後、ユーザーは、ユーザー判定の第１の例を終了する。
【００６７】
一方、Ｓ２２において、異常用排紙トレイ２４に排紙された用紙が利用可能でないと判別したとき（Ｓ２２がＮＯ判定の場合）、ユーザーは、「キャンセル」を選択する（Ｓ２４）。これにより、異常と判定された用紙を利用しないことが決定される。なお、用紙のページ番号を入力する欄にページ番号を入力していても、「キャンセル」を選択することで、ページ番号は消去され、異常と判定された用紙を利用しないことが決定される。Ｓ２４の処理後、ユーザーは、ユーザー判定の第１の例を終了する。
【００６８】
［ユーザー判定の第２の例］
次に、本実施形態に係るユーザー判定の第２の例について、図５及び図６を参照して説明する。
図５は、ユーザー判定の判定結果を入力する際に表示する入力画面の第２の例を示す図である。図６は、ユーザー判定の第２の例を示すフローチャートである。
【００６９】
図５に示すように、入力画面の第２の例では、ジョブ番号、部数（何部目）、ページ番号、利用可否、及び利用実績を表示する。また、入力画面の第２の例では、「キャンセル」と、「ＯＫ」を表示する。
【００７０】
ジョブ番号は、例えば、画像の形成を指示する印刷ジョブ毎に対応付けられた番号である。部数は、印刷ジョブにおいて指示された総部数のうちの何部目であるかを示す。ページ番号は、異常と判定された用紙のページ番号を示す。
【００７１】
利用可否に対応するセルには、プルダウンメニューにより「利用可能」と「利用不可」が表示される。利用可否に対応するセルにおいて「利用可能」の表示を選択すると、対応するページ番号の用紙を利用することが決定される。一方、利用可否に対応するセルにおいて「利用不可」の表示を選択すると、対応するページ番号の用紙を利用しないことが決定される。
【００７２】
利用実績は、異常と判定されたが利用する用紙を、正常用排紙トレイ２３上に排紙された正常用紙に挿入したか否かを示す。用紙を利用しないことが決定された場合は、利用実績に対応するセルに「−」が表示される。また、用紙を利用することが決定されたが、まだ、正常用排紙トレイ２３上に排紙された正常用紙に挿入前である場合は、利用実績に対応するセルに「−」が表示される。なお、この場合は、利用実績に対応するセルに「未利用」を表示してもよい。
【００７３】
異常と判定されたが利用する用紙を、正常用排紙トレイ２３上に排紙された正常用紙に挿入した場合は、利用実績に対応するセル「利用済み」が表示される。このような入力画面の第２の例を表示することにより、ユーザーは、異常と判定された用紙が複数あったとしても、そのページ番号、利用可否、利用実績を容易に確認することができる。
【００７４】
「ＯＫ」の表示を選択すると、それまでに選択した「利用可能」又は「利用不可」の入力が最終決定され、制御部１０は、ＲＡＭ１０３の該当する利用可能ページカウンターに「１」を加算する。また、「キャンセル」の表示を選択すると、「利用可能」又は「利用不可」の設定を中止する。
【００７５】
図６に示すように、ユーザー判定を行う場合に、ユーザーは、異常用排紙トレイ２４に排紙された用紙を確認する（Ｓ３１）。次いで、ユーザーは、異常用排紙トレイ２４に排紙された用紙が利用可能であるか否かを判別する（Ｓ３２）。すなわち、異常用排紙トレイ２４に排紙された用紙が、正常用排紙トレイ２３に排紙された用紙と一緒に使用できるか否かを判別する。
【００７６】
Ｓ３２において、異常用排紙トレイ２４に排紙された用紙が利用可能であると判別したとき（Ｓ３２がＹＥＳ判定の場合）、ユーザーは、利用可否に対応するセルに「利用可能」を入力して、「ＯＫ」を選択する（Ｓ３３）。これにより、対応するページ番号の用紙を利用することが決定される。Ｓ３３の処理後、ユーザーは、ユーザー判定の第２の例を終了する。
【００７７】
一方、Ｓ３２において、異常用排紙トレイ２４に排紙された用紙が利用可能でないと判別したとき（Ｓ３２がＮＯ判定の場合）、ユーザーは、利用可否に対応するセルに「利用不可」を入力して、「ＯＫ」を選択する（Ｓ３４）。これにより、対応するページ番号の用紙を利用しないことが決定される。Ｓ３４の処理後、ユーザーは、ユーザー判定の第２の例を終了する。
【００７８】
［ユーザーの判定可能時間］
次に、ユーザーの判定可能時間について、図７を参照して説明する。
図７は、ユーザーの判定可能時間を説明する図である。
【００７９】
画像検査装置３により異常と判定された用紙が異常用排紙トレイ２４に排紙された場合は、リカバリ処理が行われるため、画像の形成は継続される。そのため、異常と判定された用紙が排紙されてから所定の期間が経過する前に、異常と判定された用紙の利用可否を判定しなければ、異常と判定された用紙を利用する機会を失ってします。本実施形態では、この所定の期間をユーザーの判定可能時間と言う。
【００８０】
図７に示すように、例えば、ある印刷ジョブの２部目における３ページ目の用紙が異常と判定されたとする。これ以降、３ページ目が異常と判定されることがない場合は、最終部の３ページ目の画像の形成が開始される前までに、異常と判定された用紙を利用すること入力すれば、最終部の３ページ目を異常と判定された用紙に差し換えることができる。したがって、ユーザーの判定可能時間は、２部目における３ページ目の用紙が異常用排紙トレイ２４に排紙されてから、最終部の３ページ目の画像の形成が開始される前までとなる。
【００８１】
なお、本実施形態では、上記の場合のユーザーの判定可能時間を、２部目における３ページ目の用紙が異常用排紙トレイ２４に排紙されてから、最終部の２ページ目の画像の形成が開始される前までに設定する。これにより、最終部の３ページ目の画像の形成を確実に中止させることができ、画像の形成（印刷）及び用紙が無駄にならないようにすることができる。
【００８２】
また、２部目と３部目における３ページ目の用紙が異常と判定された場合のユーザーの判定可能時間は、２部目における３ページ目の用紙が異常用排紙トレイ２４に排紙されてから、最終部の１つ前の部数の３ページ目の画像が形成される前までとなる。つまり、ユーザーの判定可能時間は、最終部から、異常と判定された同じページの用紙の枚数を減算した部数における、異常と判定されたページと同じページの画像の形成が開始される前までとなる。
【００８３】
さらに、異なるページの用紙がそれぞれ異常と判定されることもある。そうすると、ユーザーの判定可能時間は、最終部から、最も多く異常と判定された用紙の枚数（異常判定カウンターの値が最大のものの値）を減算した部数における、最も多く異常と判定されたページと同じページの画像の形成が開始される前までとなる。
【００８４】
本実施の形態では、ユーザーの判定可能時間内に、ユーザーにより利用可否の判定が入力されなかった場合は、画像の形成（印刷）を中止する。これにより、異常と判定された用紙を利用する機会が失われないようにすることができ、画像の形成（印刷）及び用紙が無駄にならないようにすることができる。
【００８５】
なお、ユーザーの判定可能時間は、利用したい用紙と同じページの画像の形成が開始される前であれば、適宜設定することができる。ユーザーの判定可能時間としては、例えば、最終部から、最も多く異常と判定された用紙の枚数（異常判定カウンターの値が最大のものの値）を減算した部数における最初のページの画像の形成が開始される前までに設定してもよい。
【００８６】
２．第２の実施形態
次に、本発明の第２の実施形態に係る画像形成システムについて、図８〜図１１を参照
【００８７】
［画像形成システムの構成］
図８は、本発明の第２の実施形態に係る画像形成システムの構成例を示す概略構成図である。
図８に示す第２の実施形態に係る画像形成システム５は、上述した第１の実施形態に係る画像形成システム１と同様の構成を有しており、異なる点は、第２の実施形態に係る画像形成システム５が後処理装置を備えている点である。したがって、ここでは、第２の実施形態に係る画像形成システム５の後処理装置について説明し、第２実施形態に係る画像形成システム５における第１の実施形態と共通する部分の説明を省略する。
【００８８】
図８に示すように、画像形成システム５は、画像形成装置２と、画像検査装置３と、後処理装置６を備える。後処理装置６は、画像形成装置２と画像検査装置３との間に配置されている。すなわち、後処理装置６は、画像検査装置３の前段に配置されている。
【００８９】
後処理装置６は、搬送部６１と、ＰＩ（ポストインサーター）トレイ６２と、用紙挿入部６３とを備えている。ＰＩトレイ６２には、異常用排紙トレイ２４に排紙され、ユーザーが利用可能と判定した用紙が載置される。用紙挿入部６３には、ＰＩトレイ６２に載置された用紙が挿入される。
【００９０】
搬送部６１は、制御部１０による制御に基づいて、搬送路上に設けられた搬送ローラ（図示略）を駆動して、用紙を搬送する。この搬送部６１は、画像形成装置２から排出された用紙（画像が形成された用紙）と、用紙挿入部６３から挿入された用紙を、画像検査装置３へ搬送する。
【００９１】
制御部１０は、ユーザーが利用可能と判定したページの画像の形成（印刷）を中止する場合に、ＰＩトレイ６２に載置された用紙を用紙挿入部６３に挿入させ、その用紙を搬送部６１により画像検査装置３へ搬送させる。
【００９２】
［画像形成処理］
次に、本実施形態に係る画像形成システム５による画像形成処理の流れについて、図９を参照して説明する。
図９は、画像形成システム５による画像形成処理の流れを示すフローチャートである。
【００９３】
まず、画像形成処理が開始されると、画像形成装置２の制御部１０は、画像を形成（印刷）するページは、ユーザーが利用可能と判定した用紙と同じページであるか否かを判別する（Ｓ５１）。Ｓ５１において、ユーザーが利用可能と判定した用紙と同じページでないと判別したとき（Ｓ５１がＮＯ判定の場合）、制御部１０は、そのページの印刷（画像の形成）を実行させる（Ｓ５２）。
【００９４】
一方、Ｓ５１において、ユーザーが利用可能と判定した用紙と同じページであると判別したとき（Ｓ５１がＹＥＳ判定の場合）、制御部１０は、ＰＩトレイ６２に用紙があるか否かを判別する（Ｓ５３）。Ｓ５３において、ＰＩトレイ６２に用紙が無いと判別したとき（Ｓ５３がＮＯ判定の場合）、制御部１０は、Ｓ５２の処理を行う。
【００９５】
Ｓ５３において、ＰＩトレイ６２に用紙が有ると判別したとき（Ｓ５３がＹＥＳ判定の場合）、制御部１０は、ＰＩトレイ６２の用紙を用紙挿入部６３に挿入させ、画像検査装置３へ搬送させる（Ｓ５４）。このとき、制御部１０は、ユーザーが利用可能と判定した用紙と同じページの印刷（画像の形成）を実行しない（中止する）。すなわち、Ｓ５２の処理を行わない。
【００９６】
Ｓ５２又はＳ５４の処理後、画像検査装置３の検査部２０は、異常検出処理を行う（Ｓ５５）。この処理では、画像形成装置２から搬送された用紙に形成（印刷）された画像、又はＰＩトレイ６２に載置されたユーザーが利用可能と判定した用紙に形成（印刷）された画像が正常であるか異常であるかを判定する。
【００９７】
検査部２０は、ユーザーが利用可能と判定した用紙について異常検出処理を行う場合に、ユーザーが利用可能であると判定した異常を検出しても異常であると判定せず、別の異常を検出した場合に異常であると判定する。例えば、検査部２０は、用紙挿入部６３に挿入された用紙が搬送途中に汚れてしまった場合に、異常であると判定する。
【００９８】
また、検査部２０は、ユーザーが利用可能と判定した用紙について異常検出処理を行う場合に、挿入された用紙が、今回の画像を形成するページ（Ｓ５２の処理で印刷する予定であったページ）でない場合に、異常であると判定する。すなわち、検査部２０は、間違った用紙がＰＩトレイ６２に載置された場合に、異常であると判定する。
【００９９】
次いで、検査部２０は、Ｓ５５の異常検出処理において異常が検出されたか否かを判別する（Ｓ５６）。Ｓ５６において、異常が検出されたと判別したとき（Ｓ５６がＹＥＳ判定の場合）、検査部２０は、異常が検出された（異常と判定された）用紙を異常用排紙トレイ２４に排紙させる（Ｓ５７）。
【０１００】
Ｓ５７の処理後、制御部１０は、Ｓ５２の処理を行う。すなわち、制御部１０は、画像検査装置３から指示されたリカバリ処理に応じて、異常が検出された（異常と判定された）画像の形成（印刷）を再び実行する。
【０１０１】
また、Ｓ５７の処理後、制御部１０は、ユーザーの判定結果を受け付けるための入力画面の第２の例（図５参照）を表示部１４に表示する。ユーザーは、表示部１４に表示された入力画面を確認し、後述のユーザー判定の第３の例を行って、操作部１３により判定結果を入力する。さらに、Ｓ５７の処理後、制御部１０は、今回の画像の形成を指示する印刷ジョブを送信したＰＣ（不図示）に、異常検出情報を送信してもよい。異常検出情報には、例えば、異常と判定されたページのページ番号、及び部数（何部目）が含まれる。
【０１０２】
Ｓ５６において、異常が検出されていないと判別したとき（Ｓ５６がＮＯ判定の場合）、検査部２０は、異常が検出されていない（正常と判定された）用紙を正常用排紙トレイ２３に排紙させる（Ｓ５８）。
【０１０３】
このように、ユーザーがＰＩトレイ６２に利用可能と判定した用紙を置くことにより、正常用排紙トレイ２３上に排紙された正常用紙に、利用可能と判定した用紙を挿入することができる。その結果、画像検査装置３により異常と判定されたが、ユーザーが確認すると問題なしと判断した用紙を無駄にしないようにすることができる。
【０１０４】
次に、制御部１０は、今回の部数（例えば、２部目）における全てのページの画像の形成（印刷）を終了したか否かを判別する（Ｓ５９）。Ｓ５９において、全てのページの画像の形成（印刷）を終了していないと判別したとき（Ｓ５９がＮＯ判定の場合）、制御部１０は、次のページの画像の形成を準備する（Ｓ６０）。Ｓ６０の処理後、制御部１０は、Ｓ５１の処理を行う。
【０１０５】
Ｓ５９において、全てのページの画像の形成（印刷）を終了したと判別したとき（Ｓ５９がＹＥＳ判定の場合）、制御部１０は、全ての部数（最終部）の画像の形成（印刷）を終了したか否かを判別する（Ｓ６１）。Ｓ６１において、全ての部数（最終部）の画像の形成（印刷）を終了していないと判別したとき（Ｓ６１がＮＯ判定の場合）、制御部１０は、次の部数の１ページ目の画像の形成を準備する（Ｓ６２）。
【０１０６】
Ｓ６２の処理後、制御部１０は、Ｓ５１の処理を行う。一方、Ｓ６１において、全ての部数（最終部）の画像の形成（印刷）を終了したと判別したとき（Ｓ６１がＹＥＳ判定の場合）、制御部１０は、画像形成処理を終了する。
【０１０７】
［ユーザー判定の第３の例］
次に、本実施形態に係るユーザー判定の第３の例について、図１０を参照して説明する。
図１０は、ユーザー判定の第２の例を示すフローチャートである。
【０１０８】
ユーザー判定の第３の例では、上述した入力画面の第２の例（図５参照）が表示部１４に表示される。ユーザー判定の第３の例を行う場合に、ユーザーは、異常用排紙トレイ２４に排紙された用紙を確認する（Ｓ７１）。次いで、ユーザーは、異常用排紙トレイ２４に排紙された用紙が利用可能であるか否かを判別する（Ｓ７２）。すなわち、異常用排紙トレイ２４に排紙された用紙が、正常用排紙トレイ２３に排紙された用紙と一緒に使用できるか否かを判別する。
【０１０９】
Ｓ７２において、異常用排紙トレイ２４に排紙された用紙が利用可能であると判別したとき（Ｓ７２がＹＥＳ判定の場合）、ユーザーは、利用可否に対応するセルに「利用可能」を入力して、「ＯＫ」を選択する（Ｓ７３）。これにより、対応するページ番号の用紙を利用することが決定される。Ｓ７３の処理後、ユーザーは、利用可能であると判定した用紙をＰＩトレイ６２に置く（Ｓ７４）。Ｓ７４の処理後、ユーザーは、ユーザー判定の第の例を終了する。
【０１１０】
一方、Ｓ７２において、異常用排紙トレイ２４に排紙された用紙が利用可能でないと判別したとき（Ｓ７２がＮＯ判定の場合）、ユーザーは、利用可否に対応するセルに「利用不可」を入力して、「ＯＫ」を選択する（Ｓ７５）。これにより、対応するページ番号の用紙を利用しないことが決定される。Ｓ７５の処理後、ユーザーは、ユーザー判定の第３の例を終了する。
【０１１１】
［用紙並び替え通知］
次に、利用可能であると判定した複数枚の用紙の並び替えについて、図１１を参照して説明する。
図１１は、利用可能であると判定した複数枚の用紙の順番を並び替えることを通知する画面を示す図である。
【０１１２】
例えば、入力画面の第２の例（図５参照）が表示され、ユーザー判定の第３の例（図１０参照）を行った場合に、利用可能と判定したページを複数選択すると、ＰＩトレイ６２に置く複数の用紙の並び順を、ユーザーに通知する必要が生じる。そこで、本実施形態では、ユーザー判定の第３の例において利用可能と判定したページを複数選択した場合に、図１１に示す用紙並び順通知画面を表示部１４に表示する。
【０１１３】
図１１に示すように、用紙並び順通知画面には、利用可能と判定した用紙のページを並び順に表示する。また、用紙並び順通知画面には、「ＯＫ」を表示する。図１１に示す用紙並び順通知画面では、上から「１ページ」、「２ページ」、「５ページ」の順で表示している。この用紙並び順通知画面を確認したユーザーは、下から「１ページ」、「２ページ」、「５ページ」の順で利用可能と判定した用紙を重ねてＰＩトレイ６２に置く。その後、ユーザーは、「ＯＫ」を選択する。
【０１１４】
制御部１０は、ユーザー判定の第３の例において利用可能と判定したページが複数選択されたタイミングに応じて、用紙の並び順を決定し、決定した並び順を表示部１４に表示させる。例えば、「１ページ」、「２ページ」、「５ページ」の用紙が利用可能と判定されたときに、３ページに対応する画像の形成を行っている場合は、用紙並び順通知画面において上から「５ページ」、「１ページ」、「２ページ」の順で表示する。
【０１１５】
なお、本発明に係る用紙並び順通知画面としては、図１１に示す例に限定されず、例えば、用紙に模した図を用いて用紙の並び順を表現してもよい。また、本発明に係る用紙並び順通知画面としては、ＰＩトレイ６２に置く用紙を１つずつ指示して、用紙を１枚置く度に「ＯＫ」を選択させるようにしてもよい。
【０１１６】
３．第３の実施形態
次に、本発明の第３の実施形態に係る画像形成システムについて、図１２及び図１３を参照して説明する。
【０１１７】
第３の実施形態に係る画像形成システムは、上述した第２の実施形態に係る画像形成システム５と同様の構成を有しており、異なる点は、画像形成処理である。したがって、ここでは、第３の実施形態に係る画像形成システムの画像形成処理について説明し、第３の実施形態に係る画像形成システムにおける第２の実施形態と共通する部分の説明を省略する。
【０１１８】
［画像形成処理］
図１２は、第３の実施形態に係る画像形成処理の流れを示すフローチャート（その１）である。図１３は、第３の実施形態に係る画像形成処理の流れを示すフローチャート（その２）である。
【０１１９】
まず、画像形成処理が開始されると、画像形成装置２の制御部１０は、今回の印刷ジョブによる画像の形成（印刷）は２部以上であるか否かを判別する（Ｓ８１）。Ｓ８１において、今回の印刷ジョブによる画像の形成（印刷）は２部以上でないと判別したとき（Ｓ５１がＮＯ判定の場合）、制御部１０は、後述のＳ９４の処理を行う。
【０１２０】
一方、Ｓ８１において、今回の印刷ジョブによる画像の形成（印刷）は２部以上であると判別したとき（Ｓ８１がＹＥＳ判定の場合）、制御部１０は、画像を形成（印刷）するページは、ユーザーが利用可能と判定した用紙と同じページであるか否かを判別する（Ｓ８２）。Ｓ８２において、ユーザーが利用可能と判定した用紙と同じページでないと判別したとき（Ｓ８２がＮＯ判定の場合）、制御部１０は、そのページの印刷（画像の形成）を実行させる（Ｓ８３）。
【０１２１】
一方、Ｓ８２において、ユーザーが利用可能と判定した用紙と同じページであると判別したとき（Ｓ８２がＹＥＳ判定の場合）、制御部１０は、ＰＩトレイ６２に用紙があるか否かを判別する（Ｓ８４）。Ｓ８４において、ＰＩトレイ６２に用紙が無いと判別したとき（Ｓ８４がＮＯ判定の場合）、制御部１０は、Ｓ８３の処理を行う。
【０１２２】
Ｓ８４において、ＰＩトレイ６２に用紙が有ると判別したとき（Ｓ８４がＹＥＳ判定の場合）、制御部１０は、ＰＩトレイ６２の用紙を用紙挿入部６３に挿入させ、画像検査装置３へ搬送させる（Ｓ８５）。このとき、制御部１０は、ユーザーが利用可能と判定した用紙と同じページの印刷（画像の形成）を実行しない（中止する）。すなわち、Ｓ８３の処理を行わない。
【０１２３】
Ｓ８３又はＳ８５の処理後、画像検査装置３の検査部２０は、異常検出処理を行う（Ｓ８６）。この処理では、画像形成装置２から搬送された用紙に形成（印刷）された画像、又はＰＩトレイ６２に載置されたユーザーが利用可能と判定した用紙に形成（印刷）された画像が正常であるか異常であるかを判定する。
【０１２４】
検査部２０は、ユーザーが利用可能と判定した用紙について異常検出処理を行う場合に、ユーザーが利用可能であると判定した異常を検出しても異常であると判定せず、別の異常を検出した場合に異常であると判定する。
【０１２５】
また、検査部２０は、ユーザーが利用可能と判定した用紙について異常検出処理を行う場合に、挿入された用紙が、今回の画像を形成するページ（Ｓ８３の処理で印刷する予定であったページ）でない場合に、異常であると判定する。すなわち、検査部２０は、間違った用紙がＰＩトレイ６２に載置された場合に、異常であると判定する。
【０１２６】
次いで、検査部２０は、Ｓ８６の異常検出処理において異常が検出されたか否かを判別する（Ｓ８７）。Ｓ８７において、異常が検出されたと判別したとき（Ｓ８７がＹＥＳ判定の場合）、検査部２０は、異常が検出された（異常と判定された）用紙を異常用排紙トレイ２４に排紙させる（Ｓ８８）。
【０１２７】
Ｓ８８の処理後、制御部１０は、Ｓ８３の処理を行う。すなわち、制御部１０は、画像検査装置３から指示されたリカバリ処理に応じて、異常が検出された（異常と判定された）画像の形成（印刷）を再び実行する。
【０１２８】
また、Ｓ８８の処理後、制御部１０は、ユーザーの判定結果を受け付けるための入力画面の第２の例（図５参照）を表示部１４に表示する。ユーザーは、上述したユーザー判定の第３の例を行って、操作部１３により判定結果を入力する。さらに、Ｓ８８の処理後、制御部１０は、今回の画像の形成を指示する印刷ジョブを送信したＰＣ（不図示）に、異常検出情報を送信してもよい。異常検出情報には、例えば、異常と判定されたページのページ番号、及び部数（何部目）が含まれる。
【０１２９】
Ｓ８７において、異常が検出されていないと判別したとき（Ｓ８７がＮＯ判定の場合）、検査部２０は、異常が検出されていない（正常と判定された）用紙を正常用排紙トレイ２３に排紙させる（Ｓ８９）。
【０１３０】
このように、ユーザーがＰＩトレイ６２に利用可能と判定した用紙を置くことにより、正常用排紙トレイ２３上に排紙された正常用紙に、利用可能と判定した用紙を挿入することができる。その結果、画像検査装置３により異常と判定されたが、ユーザーが確認すると問題なしと判断した用紙を無駄にしないようにすることができる。
【０１３１】
次に、制御部１０は、今回の部数（例えば、２部目）における全てのページの画像の形成（印刷）を終了したか否かを判別する（Ｓ９０）。Ｓ９０において、全てのページの画像の形成（印刷）を終了していないと判別したとき（Ｓ９０がＮＯ判定の場合）、制御部１０は、次のページの画像の形成を準備する（Ｓ９１）。Ｓ９１の処理後、制御部１０は、Ｓ８２の処理を行う。
【０１３２】
Ｓ９０において、全てのページの画像の形成（印刷）を終了したと判別したとき（Ｓ９０がＹＥＳ判定の場合）、制御部１０は、次が最終部の画像の形成（印刷）であるか否かを判別する（Ｓ９２）。Ｓ９２において、次が最終部の画像の形成（印刷）でないと判別したとき（Ｓ９２がＮＯ判定の場合）、制御部１０は、次の部数の１ページ目の画像の形成を準備する（Ｓ９３）。Ｓ９３の処理後、制御部１０は、Ｓ８２の処理を行う。
【０１３３】
Ｓ９２がＹＥＳ判定、又はＳ８１がＮＯ判定の場合、制御部１０は、画像を形成（印刷）するページは、ユーザーが利用可能と判定した用紙と同じページであるか否かを判別する（Ｓ９４）。Ｓ９４において、ユーザーが利用可能と判定した用紙と同じページでないと判別したとき（Ｓ９４がＮＯ判定の場合）、制御部１０は、そのページの印刷（画像の形成）を実行させる（Ｓ９５）。
【０１３４】
一方、Ｓ９４において、ユーザーが利用可能と判定した用紙と同じページであると判別したとき（Ｓ９４がＹＥＳ判定の場合）、制御部１０は、ＰＩトレイ６２に用紙があるか否かを判別する（Ｓ９６）。Ｓ９６において、ＰＩトレイ６２に用紙が無いと判別したとき（Ｓ９６がＮＯ判定の場合）、制御部１０は、Ｓ９５の処理を行う。
【０１３５】
Ｓ９６において、ＰＩトレイ６２に用紙が有ると判別したとき（Ｓ９６がＹＥＳ判定の場合）、制御部１０は、ＰＩトレイ６２の用紙を用紙挿入部６３に挿入させ、画像検査装置３へ搬送させる（Ｓ９７）。このとき、制御部１０は、ユーザーが利用可能と判定した用紙と同じページの印刷（画像の形成）を実行しない（中止する）。すなわち、Ｓ９５の処理を行わない。
【０１３６】
Ｓ９５又はＳ９７の処理後、画像検査装置３の検査部２０は、異常検出処理を行う（Ｓ９８）。この処理では、画像形成装置２から搬送された用紙に形成（印刷）された画像、又はＰＩトレイ６２に載置されたユーザーが利用可能と判定した用紙に形成（印刷）された画像が正常であるか異常であるかを判定する。
【０１３７】
次いで、検査部２０は、Ｓ８６の異常検出処理において異常が検出されたか否かを判別する（Ｓ９９）。Ｓ９９において、異常が検出されたと判別したとき（Ｓ９９がＹＥＳ判定の場合）、検査部２０は、異常が検出された（異常と判定された）用紙を異常用排紙トレイ２４に排紙させる（Ｓ１００）。
【０１３８】
次いで、制御部１０は、ユーザーの判定結果を受け付けるための入力画面の第２の例（図５参照）を表示部１４に表示し、ユーザーの判定結果を受け付ける。そして、制御部１０は、ユーザーの判定結果として「利用不可」と入力されたか否かを判別する（Ｓ１０１）。Ｓ１０１において、「利用不可」と入力されたと判別したとき（Ｓ１０１がＹＥＳ判定の場合）、制御部１０は、Ｓ９５の処理を行う。
【０１３９】
このように、最終部で画像が形成された用紙に異常が検出された（異常と判定された）場合は、すぐにリカバリ処理を実行せず、ユーザーの判定結果を待つ。そして、ユーザーの判定結果として「利用不可」と入力された場合に、リカバリ処理を実行する（異常が検出された（異常と判定された）画像の形成（印刷）を再び実行する。）したがって、異常が検出された画像の形成（印刷）が必要な場合にのみ、その画像の形成を実行することになり、用紙を無駄にしないようにすることができる。
【０１４０】
一方、Ｓ１０１において、「利用不可」と入力されていないと判別したとき（Ｓ１０１がＮＯ判定の場合）、制御部１０は、ユーザーの判定結果として「利用可能」と入力されたか否かを判別する（Ｓ１０２）。Ｓ１０２において、「利用可能」と入力されていないと判別したとき（Ｓ１０２がＮＯ判定の場合）、制御部１０は、Ｓ１０１の処理を行う。すなわち、制御部は、「利用不可」又は「利用可能」のいずれかの入力が行われるまで待つ。
【０１４１】
Ｓ１０２において、「利用可能」と入力されたと判別したとき（Ｓ１０２がＹＥＳ判定の場合）、制御部１０は、利用可能な用紙がＰＩトレイに載置されたか否かを判別する（Ｓ１０３）。Ｓ１０３において、利用可能な用紙がＰＩトレイに載置されていないと判別したとき（Ｓ１０３がＮＯ判定の場合）、制御部１０は、Ｓ１０３の処理を繰り返す。すなわち、制御部１０は、利用可能な用紙がＰＩトレイに載置されるまで待つ。
【０１４２】
一方、Ｓ１０３において、利用可能な用紙がＰＩトレイ６２に載置されたと判別したとき（Ｓ１０３がＹＥＳ判定の場合）、制御部１０は、Ｓ９７の処理を行う。すなわち、ＰＩトレイ６２の用紙を用紙挿入部６３に挿入させ、画像検査装置３へ搬送させる。
【０１４３】
Ｓ９９において、異常が検出されていないと判別したとき（Ｓ９９がＮＯ判定の場合）、検査部２０は、異常が検出されていない（正常と判定された）用紙を正常用排紙トレイ２３に排紙させる（Ｓ１０４）。
【０１４４】
次に、制御部１０は、今回の部数（最終部）における全てのページの画像の形成（印刷）を終了したか否かを判別する（Ｓ１０５）。Ｓ１０５において、全てのページの画像の形成（印刷）を終了していないと判別したとき（Ｓ１０５がＮＯ判定の場合）、制御部１０は、次のページの画像の形成を準備する（Ｓ１０６）。Ｓ１０６の処理後、制御部１０は、Ｓ９４の処理を行う。一方、Ｓ１０５において、全てのページの画像の形成（印刷）を終了したと判別したとき（Ｓ１０５がＹＥＳ判定の場合）、制御部１０は、画像形成処理を終了する。
【０１４５】
４．第４の実施形態
次に、本発明の第４の実施形態に係る画像形成システムについて、図１４及び図１５を参照して説明する。
【０１４６】
第４の実施形態に係る画像形成システムは、上述した第２の実施形態に係る画像形成システム５と同様の構成を有しており、異なる点は、画像形成処理である。したがって、ここでは、第４の実施形態に係る画像形成システムの画像形成処理について説明し、第４の実施形態に係る画像形成システムにおける第２の実施形態と共通する部分の説明を省略する。
【０１４７】
上述した第２の実施形態では、あるページの画像を形成した際に、次のページの画像を形成する前に、画像検査装置３による異常検出処理を行って、あるページの画像を形成した用紙に異常が検出されたか否かを判別した。しかし、第４の実施形態に係る画像形成システムでは、画像形成装置２による画像の形成と、画像検査装置３による異常検出処理を独立して行う。
【０１４８】
したがって、第４の実施形態に係る画像形成システムでは、あるページの画像を形成（印刷）した用紙に異常が検出されたと判別したとき、画像形成装置２は、それ以降の数ページの画像の形成を実行済み或いは実行中である。そうすると、リカバリ処理では、異常が検出されたあるページの画像の形成と、それ以降の数ページの画像の形成を行う必要がある。
【０１４９】
そこで、第４の実施形態に係る画像形成システムでは、異常と判定された用紙と、異常と判定されたときまでに画像形成装置２内を搬送されている用紙（以下、「異常時搬送中用紙」という。）を、異常用排紙トレイ２４に排紙する。そして、画像検査装置３は、異常と判定された用紙と、異常時搬送中用紙に対応するリカバリ処理を画像形成装置２に指示する。これにより、画像形成装置２は、異常と判定されたページの画像の形成（印刷）と、異常時搬送中用紙に対応するページの画像の形成（印刷）を再び実行する。
【０１５０】
異常と判定された用紙と、異常時搬送中用紙とが異常用排紙トレイ２４に排紙された場合は、排紙された全ての用紙について利用可能であるか否かをユーザーが判定する。このとき、制御部１０は、ユーザーの判定結果を入力するための入力画面を表示部１４に表示させる。ユーザーは、その入力画面の表示に応じて、必要な指示を操作部１３により入力する。
【０１５１】
図１４は、第４の実施形態に係るユーザー判定の判定結果を入力する際に表示する入力画面の第１の例を示す図である。
【０１５２】
図１４に示すように、第４の実施形態に係る入力画面の第１の例では、異常用排紙トレイ２４に排紙された用紙を利用すると判定した場合に、その用紙のページ番号を入力する欄を表示する。また、第４の実施形態に係る入力画面の第１の例では、「キャンセル」と、「ＯＫ」を表示する。
【０１５３】
さらに、第４の実施形態に係る入力画面の第１の例では、異常と判定された用紙のページ番号（ページ数）を表示する。具体的には、「３ページ目が異常です」と表示する。また、第４の実施形態に係る入力画面の第１の例では、異常用排紙トレイ２４に排紙された全ての用紙のページ番号（ページ数）が表示される。具体的には、「３〜５ページがパージされました」と表示する。
【０１５４】
利用可能と判定した全ての用紙のページ番号を入力後、「ＯＫ」の表示を選択すると、利用する用紙のページ番号が決定される。これにより、制御部１０は、ＲＡＭ１０３の該当する全ての利用可能ページカウンターに「１」を加算する。また、「キャンセル」の表示を選択すると、異常用排紙トレイ２４に排紙された全ての用紙を利用しないことが決定される。
【０１５５】
図１５は、第４の実施形態に係るユーザー判定の判定結果を入力する際に表示する入力画面の第２の例を示す図である。
【０１５６】
図１５に示すように、第４の実施形態に係る入力画面の第２の例では、ジョブ番号、部数（何部目）、ページ番号、正常・異常、利用可否、及び利用実績を表示する。また、入力画面の第２の例では、「キャンセル」と、「ＯＫ」を表示する。
【０１５７】
ジョブ番号は、例えば、画像の形成を指示する印刷ジョブ毎に対応付けられた番号である。部数は、印刷ジョブにおいて指示された総部数のうちの何部目であるかを示す。ページ番号は、異常用排紙トレイ２４に排紙された用紙のページ番号を示す。また、排紙された用紙が異常と判定されている場合には、正常・異常のセルに「異常」が表示される。一方、排紙された用紙が異常と判定されていない場合には、正常・異常のセルに「正常」が表示される。
【０１５８】
利用可否に対応するセルには、プルダウンメニューにより「利用可能」と「利用不可」が表示される。利用可否に対応するセルにおいて「利用可能」の表示を選択すると、対応するページ番号の用紙を利用することが決定される。一方、利用可否に対応するセルにおいて「利用不可」の表示を選択すると、対応するページ番号の用紙を利用しないことが決定される。
【０１５９】
利用実績は、異常と判定されたが利用する用紙を、正常用排紙トレイ２３上に排紙された正常用紙に挿入したか否かを示す。用紙を利用しないことが決定された場合は、利用実績に対応するセルに「−」が表示される。また、用紙を利用することが決定されたが、まだ、正常用排紙トレイ２３上に排紙された正常用紙に挿入前である場合は、利用実績に対応するセルに「−」が表示される。なお、この場合は、利用実績に対応するセルに「未利用」を表示してもよい。
【０１６０】
利用可能と判定してＰＩトレイ６２に載置された用紙が、画像検査装置３を通って正常用排紙トレイ２３に排紙された場合は、利用実績に対応するセル「利用済み」が表示される。このような第４の実施形態に係る入力画面の第２の例を表示することにより、ユーザーは、異常と判定された用紙が複数あったとしても、そのページ番号、利用可否、利用実績を容易に確認することができる。また、異常と判定された用紙と一緒に異常用排紙トレイ２４に排紙された異常時搬送中用紙のページ番号を容易に確認することができる。
【０１６１】
「ＯＫ」の表示を選択すると、それまでに選択した「利用可能」又は「利用不可」の入力が最終決定され、制御部１０は、ＲＡＭ１０３の該当する利用可能ページカウンターに「１」を加算する。また、「キャンセル」の表示を選択すると、「利用可能」又は「利用不可」の設定を中止する。
【０１６２】
なお、利用可能と判定してＰＩトレイ６２に載置された用紙を、画像検査装置３を介して正常用排紙トレイ２３に排紙させる場合に、画像形成装置２は、ＰＩトレイ６２から搬送して挿入する用紙の前後の用紙の紙間を空ける。これにより、ＰＩトレイ６２に載置された用紙を、正常用紙の所望の紙間に円滑に挿入することができる。
【０１６３】
本発明は上述した実施形態例に限られるものではなく、特許請求の範囲に記載した本発明の要旨を逸脱しない限りにおいて、その他種々の応用例、変形例を取り得ることは勿論である。すなわち、上述した実施形態例は、本発明を分かりやすく説明するために装置の構成を詳細且つ具体的に説明したものであり、必ずしも説明した全ての構成要素を備えるものに限定されない。
【０１６４】
また、上述した実施形態は、本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【０１６５】
上述した第１〜第４の実施形態では、画像形成装置２と画像検査装置３を別体として構成した。しかし、本発明に係る画像形成システムをしては、画像を形成する構成と、形成した画像を検査する構成は１つの装置に含まれていてもよい。例えば、画像形成装置が、検査部、正常用排紙部、及び異常用排紙部を備える構成にしてもよい。
【０１６６】
また、上述した第１〜第４の実施形態では、通知部として表示部１４を適用した。しかし、本発明に係る通知部としては、表示部に限定されるものでは無く、例えば、スピーカーなどの音声を出力するものであってもよい。例えば、第１の実施形態においてスピーカーを通知部として採用する場合は、利用する用紙を正常用排紙部に排出されている用紙の上に置くように音声で通知する。
【０１６７】
また、上述した第２〜第４の実施形態では、ＰＩトレイ６２を備える後処理装置６を画像形成装置２及び画像検査装置３とは別体として設けた。しかし、本発明に係るＰＩトレイ及び用紙挿入部は、画像形成装置２又は画像検査装置３に設けてもよい。
【０１６８】
また、上述した第２〜第４の実施形態では、後処理装置６の搬送部６１の駆動を画像形成装置２の制御部１０が制御する構成にした。しかし、本発明に係る後処理装置としては、搬送部と、搬送部の駆動を制御する制御部とを備える構成にしてもよい。この場合の後処理装置の制御部は、画像形成装置２における制御部１０の指示にしたがって搬送部の駆動を制御する。
【０１６９】
また、上述した第３の実施形態では、最終部で画像が形成された用紙に異常が検出された（異常と判定された）場合に、すぐにリカバリ処理を実行せず、ユーザーの判定結果を待った。しかし、本発明に係る画像形成システムとしては、最終部で画像が形成された用紙に異常が検出された場合に、ユーザーの判定結果を待つこと、又はユーザーの判定結果を待たずにリカバリ処理を実行することのいずれかを予め設定できる構成にしてもよい。
【符号の説明】
【０１７０】
１，５…画像形成システム、  ２…画像形成装置、  ３…画像検査装置、  ６…後処理装置、  １０…制御部、  １１…画像入力部、  １２，２２…記憶部、  １３…操作部、  １４…表示部、  １５…画像形成部、  １６…定着部、  １７，６１…搬送部、  ２０…検査部、  ２１…読取部、  ２３…正常用排紙トレイ、  ２４…異常用排紙トレイ、  ６２…ＰＩトレイ、  ６３…用紙挿入部、  １０１，２０１…ＣＰＵ、  １０２，２０２…ＲＯＭ、  １０３，２０３…ＲＡＭ、  １０４…入力画像処理部、  ２０４…読取画像解析部、  ２０５…ファイル生成部、  ２０６…排紙先選択部
【図１】
2020104384.tif 000003
【図２】
2020104384.tif 000004
【図３】
2020104384.tif 000005
【図４】
2020104384.tif 000006
【図５】
2020104384.tif 000007
【図６】
2020104384.tif 000008
【図７】
2020104384.tif 000009
【図８】
2020104384.tif 000010
【図９】
2020104384.tif 000011
【図１０】
2020104384.tif 000012
【図１１】
2020104384.tif 000013
【図１２】
2020104384.tif 000014
【図１３】
2020104384.tif 000015
【図１４】
2020104384.tif 000016
【図１５】
2020104384.tif 000017